(57)【要約】【課題】ブラシレスモータの放熱性能を高めながら、軽量コンパクト化、コスト低下を図れるように構成する。【解決手段】ケーシング２に、ブラシレスモータ１の駆動軸に連動するギアを収容するギアケース３が一体的に設けられたブラシレスモータ１において、ブラシレスモータ１の駆動制御をするためのドライバユニット４を構成する放熱性のＦＥＴ６等の制御部品を、ギアケース３の一方の側面３ａに直接固定し、制御部品を覆うカバー体８の深さ方向中間部に制御基板７を設ける構成とする。【選択図】図１
2009141996.tif 000002
【特許請求の範囲】
【請求項１】
ブラシレスモータのケーシングに、ブラシレスモータの駆動軸に連動するギアを収容するギアケースが一体的に設けられたブラシレスモータにおいて、ブラシレスモータを駆動制御するドライバユニットはギアケースの側面に設けられているブラシレスモータ。
【請求項２】
ドライバユニットは、制御部品と基板とをカバー体で覆蓋して構成されるものとし、発熱性の制御部品はギアケースの側面に直接固定されている請求項１に記載のブラシレスモータ。
【請求項３】
ドライバユニットは、制御部品と金属基設とをカバー体で覆蓋して構成されるものとし、制御部品が設けられる金属基板はギアケースの側面に直接固定されている請求項１に記載のブラシレスモータ。
【発明の詳細な説明】
【技術分野】
【０００１】
本発明は、乗用車等の車輌に搭載されるブラシレスモータの技術分野に属するものである。
【背景技術】
【０００２】
一般に、この種ブラシレスモータは、ブラシレスモータに設けられるドライバユニット（駆動制御部）を用いて回転駆動制御がなされるものであるが、前記ドライバユニットは、制御室を構成するケーシングに、複数の制御部品を基板に接続したものを収容することにより構成されている。そして、ドライバユニットはブラシレスモータを構成するケーシングに直接設けられるのが一般であるが、このように構成した場合、ブラシレスモータの駆動に伴う発熱がドライバユニットに伝導することが想定され、このようになると、ドライバとしての機能が損なわれる惧れがあって問題がある。さらには、ドライバユニットは、スイッチング素子であるＦＥＴやコンデンサ等の制御部品がカバー体により覆われる構成となっているため、ブラシレスモータの駆動時にはＦＥＴのような制御部品が発熱して、狭いカバー体（制御室）内の温度を上昇させるという問題もある。
【０００３】
この改善策として、発熱性の制御部品にヒートシンクを取り付け、該ヒートシンクを取り付けた状態でカバー体により覆うことにより、制御室内の温度上昇を防止するようにしたものが提唱されている。
【特許文献１】特開平３−９９９８１号公報
【発明の開示】
【発明が解決しようとする課題】
【０００４】
ところが、前記従来のものは、狭いカバー体内にヒートシンクを設けることになるため、ドライバユニットが大型化してしまうだけでなく、重量化されてしまい、軽量コンパクト化が強く要求される実情に反するという問題がある。さらには、ヒートシンクを設ける分、部品点数が増加してコスト高になるという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、ブラシレスモータのケーシングに、ブラシレスモータの駆動軸に連動するギアを収容するギアケースが一体的に設けられたブラシレスモータにおいて、ブラシレスモータを駆動制御するドライバユニットはギアケースの側面に設けられているブラシレスモータである。
請求項２の発明は、ドライバユニットは、制御部品と基板とをカバー体で覆蓋して構成されるものとし、発熱性の制御部品はギアケースの側面に直接固定されている請求項１に記載のブラシレスモータである。
請求項３の発明は、ドライバユニットは、制御部品と金属基設とをカバー体で覆蓋して構成されるものとし、制御部品が設けられる金属基板はギアケースの側面に直接固定されている請求項１に記載のブラシレスモータである。
【発明の効果】
【０００６】
請求項１の発明とすることにより、ブラシレスモータの回転駆動に伴う発熱がドライバユニットに影響するような不具合が防止される。
請求項２、３の発明とすることにより、ヒートシンクを別途設けることなくドライバユニットの放熱ができて、コスト低下、ブラシレスモータの軽量コンパクト化を実現しつつ、信頼性の高い製品を提供できる。
【発明を実施するための最良の形態】
【０００７】
つぎに、本発明の第一の実施の形態について、図面に基づいて説明する。
図面において、１はブラシレスモータであって、該ブラシレスモータ１を構成する有底筒状のケーシング２の開口端部２ａには、ブラシレスモータ１の図示しない駆動軸に連動連結するギアが収容されるギアボックス３が一体的に固定されている。前記ギアボックス３は、金属材により構成されている。
【０００８】
そして、前記ギアボックス３の平板状となる一方の側面３ａに、ブラシレスモータ１の駆動制御をするためのドライバユニット４を固定するように構成されており、これによって、金属製のギアボックス３を放熱体として用いることができるように設定されている。
前記ドライバユニット４は、コンデンサ５、スイッチング素子であるＦＥＴ６等の複数の制御部品、これら制御部品を適宜接続して駆動回路を構成するための制御基板７、コンデンサ５、ＦＥＴ６等の制御部品、制御基板７を覆うべく、ギアボックス３の一方側面３ａに付き当て状に設けられるボックス状のカバー体８とを用いて構成されている。
【０００９】
また、ドライバユニット４の複数の制御部品のうち、コンデンサ５等の発熱しにくい制御部品は、制御基板７に直接搭載されて駆動回路に接続され、発熱性の高い制御部品であるＦＥＴ６は、制御基板７に搭載されるのではなく、ドライバユニット４が固定されるギアボックス３の一方側面３ａに接触するべく、適宜固定手段を用いて固定されている。これによって、ブラシレスモータ１の駆動に伴いＦＥＴ６から発生した熱は、一方側面３ａを介してギアボックス３側に伝導して外部に放熱することができるように設定されており、この結果、カバー体８（制御室）内に籠らないように構成されている。
ここで、制御基板７は、カバー体８の深さ方向中間部に支持されるように設定されており、ギアボックス一方側面３ａに搭載されるＦＥＴ６等の制御部品に干渉しないように構成されている。そして、一方側面３ａに搭載された制御部品と制御基板７の駆動回路とのあいだは、適宜接続手段を介して接続されている。
尚、ドライバユニット４とブラシレスモータ１とのあいだの接続は、ドライバユニット４のケース体８とブラシレスモータ１のケーシング開口端２ａとの当接部８ａにおいて、図示しないバスバーによりなされるように構成されている。
【００１０】
叙述の如く構成された本形態において、ブラシレスモータ１はドライバユニット４からの制御指令に基づいて回転駆動することになるが、このものにおいて、ドライバユニット４はブラシレスモータ１のケーシング２ではなく、ブラシレスモータ１に連動連結されるギアを収容するためのギアボックス３の一方側面３ａに設けられているので、ブラシレスモータ１の回転駆動に伴う発熱がドライバユニット４に影響するような不具合を防止できる。
【００１１】
さらに、このものでは、ドライバユニット４を構成する制御部品のうち、スイッチング素子であるＦＥＴ６等の高い発熱性を有する制御部品は、金属製のギアボックス３の一方側面３ａに直接固定されているため、ＦＥＴ６等から発生する熱を、ギアボックス３が放熱体として機能することにより外部に拡散させることができ、ヒートシンクを別途設けることなく、カバー体８内の温度上昇を抑制するすることができる。この結果、ブラシレスモータ１（ドライバユニット４）のコスト低下、軽量コンパクト化を実現しつつ、信頼性の高いブラシレスモータ１を提供することができる。
【００１２】
尚、本発明は前記実施の形態に限定されないことは勿論であって、図１（Ｃ）に示す第二の実施の形態のようにすることもできる。
前記第二の実施の形態のドライバユニット９は、前記第一の実施の形態と同様に、ブラシレスモータのケーシングに一体的に設けられるギアケース３の一方側面３ａに設けられている。前記ドライバユニット９は、熱伝導性の高い金属基板１０を用いて構成されており、前記金属基板１０に、コンデンサ５、ＦＥＴ６等の制御部品を搭載して、金属基板１０上に形成される駆動回路に接続するように構成されている。そして、第二の実施の形態では、金属基板１０をギアボックス３の一方側面３ａに固定するように構成され、これによって、発熱性の高い制御部品からの熱を、金属基板１０から一方側面３ａを介してギアボックス３に伝導して外部に放熱するように構成されている。そして、この場合でも、ギアボックス３が放熱体として機能して、ヒートシンクを設けることなく高い放熱性を確保することができて、金属性基板１０と制御部品とを覆うカバー体１１内に熱が籠るようなことがなく、コスト低下ができるばかりでなく、軽量コンパクト化を損なうことなく信頼性の高いブラシレスモータを提供することができる。さらに、この場合では、金属基板１０を直接一方側面３ａに固定する構成であるので、カバー体の深さ方向中間部に基板を設ける第一の実施の形態のドライバユニットに比べてさらなるコンパクト化を図ることができる。
【図面の簡単な説明】
【００１３】
【図１】図１（Ａ）、（Ｂ）、（Ｃ）はそれぞれブラシレスモータの概略正面図、ドライバユニットを説明する一部を切り欠いた断面図、第二の実施の形態のドライバユニットを説明する一部を切り欠いた断面図である。
【符号の説明】
【００１４】
１    ブラシレスモータ
２    ケーシング
３    ギアボックス
３ａ    一方側面
４    ドライバユニット
５    コンデンサ
６    ＦＥＴ
７    制御基板
８    カバー体
【図１】
2009141996.tif 000003